【手続補正書】
【提出日】平成24年10月26日(2012.10.26)
【手続補正１】
【補正対象書類名】特許請求の範囲
【補正対象項目名】全文
【補正方法】変更
【補正の内容】
【特許請求の範囲】
【請求項１】
患者の創傷を治療する減圧創傷治療システムにおいて：
創傷ドレッシングであって、
第１面と、組織に対向する面を有するシーリングドレープであって、創傷の上に配置するシーリングドレープと、
前記シーリングドレープに連結した収縮エレメントであって、作動時に収縮して、これによって閉合力を生成するように構成されている収縮エレメントと、
前記シーリングドレープに連結した把持部材であって、前記閉合力を患者の上皮に伝えるように構成されており、前記シーリングドレープと把持部材が、前記創傷の上に液体シールを形成するように構成されている把持部材と、
を具える創傷閉合ドレッシングと；
前記シーリングドレープの組織に対向する面と前記創傷との間に配置するマニフォールド部材と；
前記創傷閉合ドレッシングに減圧を送達する減圧サブシステムと；
を具えることを特徴とする減圧創傷治療システム。
【請求項２】
請求項１に記載のシステムにおいて、前記収縮エレメントが、伸長位置から収縮位置へ移動するように構成されており、前記収縮エレメントが初めは伸長位置にあることを特徴とするシステム。
【請求項３】
請求項１に記載のシステムにおいて、前記収縮エレメントが熱によって作動することを特徴とするシステム。
【請求項４】
請求項１に記載のシステムにおいて、前記収縮エレメントが水分によって作動することを特徴とするシステム。
【請求項５】
請求項１に記載のシステムにおいて、前記収縮エレメントが電磁誘導によって作動することを特徴とするシステム。
【請求項６】
請求項１に記載のシステムにおいて、前記収縮エレメントが複数の収縮ストリップを具えることを特徴とするシステム。
【請求項７】
請求項１に記載のシステムにおいて、前記把持部材が接着剤を具えることを特徴とするシステム。
【請求項８】
請求項１に記載のシステムが更に、前記収縮エレメントに連結された溶ける本体を具え、前記収縮エレメントが前記溶ける本体の少なくとも一部が溶けると作動することを特徴とするシステム。
【請求項９】
請求項１に記載のシステムが更に、前記収縮エレメントに連結された溶ける本体を具え、前記溶ける本体の少なくとも一部が溶けると前記収縮エレメントが作動し、前記溶ける本体が複数の溶けるビーズを具えることを特徴とするシステム。
【請求項１０】
請求項１に記載のシステムにおいて、前記収縮エレメントが前記シーリングドレープの組織に対向する面に連結されていることを特徴とするシステム。
【請求項１１】
請求項１に記載のシステムにおいて、前記収縮エレメントが自由長さから伸展した長さへ伸展し、乾燥した材料を具えており、前記収縮エレメントが水分によって作動することを特徴とするシステム。
【請求項１２】
請求項１に記載のシステムにおいて、前記収縮エレメントが、伸展した位置へ伸展する形状記憶合金を具えており、前記収縮エレメントが患者からの熱によって作動することを特徴とするシステム。
【請求項１３】
請求項１に記載のシステムにおいて、前記収縮エレメントが自由長さから伸展した長さへ伸展し、乾燥した材料を具えており：
前記収縮エレメントが水分によって作動し；
前記把持部材が接着層を具えること；
を特徴とするシステム。
【請求項１４】
創傷閉合ドレッシングにおいて：
第１面と組織に対向する面を有し、創傷の上に配置するシーリングドレープと；
前記シーリングドレープに連結されて、作動時に収縮して、これによって閉合力を生成するように構成されている収縮エレメントと；
前記シーリングドレープに連結されて、前記閉合力を患者の上皮に伝えるように構成されている把持部材と；
を具えることを特徴とする創傷閉合ドレッシング。
【請求項１５】
請求項１４に記載の創傷閉合ドレッシングにおいて、前記収縮エレメントが作動前は伸長位置にあることを特徴とする創傷閉合ドレッシング。
【請求項１６】
請求項１４に記載の創傷閉合ドレッシングにおいて、前記収縮エレメントが熱によって作動することを特徴とする創傷閉合ドレッシング。
【請求項１７】
請求項１４に記載の創傷閉合ドレッシングにおいて、前記収縮エレメントが水分によって作動することを特徴とする創傷閉合ドレッシング。
【請求項１８】
請求項１４に記載の創傷閉合ドレッシングにおいて、前記収縮エレメントが電磁誘導によって作動することを特徴とする創傷閉合ドレッシング。
【請求項１９】
請求項１４に記載の創傷閉合ドレッシングにおいて、前記収縮エレメントが複数の収縮ストリップを具えることを特徴とする創傷閉合ドレッシング。
【請求項２０】
請求項１４に記載の創傷閉合ドレッシングにおいて、前記把持部材が接着剤を具えることを特徴とする創傷閉合ドレッシング。
【請求項２１】
請求項１４に記載の創傷閉合ドレッシングにおいて、前記把持部材が接着剤を具え、当該接着剤が感圧接着剤であることを特徴とする創傷閉合ドレッシング。
【請求項２２】
請求項１４に記載の創傷閉合ドレッシングが更に、前記収縮エレメントに連結した溶ける本体を具え、前記収縮エレメントが当該溶ける本体の少なくとも一部が溶けると作動することを特徴とする創傷閉合ドレッシング。
【請求項２３】
請求項１４に記載の創傷閉合ドレッシングが更に、前記収縮エレメントに連結した溶ける本体を具え、当該溶ける本体の少なくとも一部が溶けると前記収縮エレメントが作動し、当該溶ける本体が複数の溶けるビーズを具えることを特徴とする創傷閉合ドレッシング。
【請求項２４】
請求項１４に記載の創傷閉合ドレッシングにおいて、前記収縮エレメントが自由長さから伸展長さに伸展し、乾いた材料を具え、前記収縮エレメントが水分によって作動することを特徴とする創傷閉合ドレッシング。
【請求項２５】
請求項１４に記載の創傷閉合ドレッシングにおいて、前記収縮エレメントが伸展位置に伸展した形状記憶合金を具え、前記収縮エレメントが患者からの熱によって作動することを特徴とする創傷閉合ドレッシング。
【請求項２６】
請求項１４に記載の創傷閉合ドレッシングにおいて、前記収縮エレメントが自由長さから伸展長さに伸展し、乾燥した材料を具え；
前記収縮エレメントが水分によって作動し；
前記把持部材が接着層を具えること；
を特徴とする創傷閉合ドレッシング。
【請求項２７】
創傷閉合ドレッシングにおいて：
第１面と組織に対向する面を有し、創傷の上に配置するシーリングドレープと；
前記シーリングドレープに連結した溶ける本体と；
伸展位置において前記溶ける本体に連結した伸縮部材であって、前記溶ける本体の少なくとも一部が溶けると自由位置へ収縮し、これによって閉合力を生成する伸縮部材と；
前記シーリングドレープと伸縮部材のうちの少なくとも一方に連結され、前記閉合力を患者の上皮に伝えるように構成された把持部材と；
を具えることを特徴とする創傷閉合ドレッシング。
【請求項２８】
請求項２７に記載の創傷閉合ドレッシングにおいて、前記溶ける本体が感染を低減する含酸素粒子を具えることを特徴とする創傷閉合ドレッシング。
【請求項２９】
請求項２７に記載の創傷閉合ドレッシングにおいて、前記溶ける本体が感染を低減する抗菌粒子を具えることを特徴とする創傷閉合ドレッシング。
【請求項３０】
請求項２７に記載の創傷閉合ドレッシングにおいて、前記把持部材が接着剤を具えることを特徴とする創傷閉合ドレッシング。
【請求項３１】
請求項２７に記載の創傷閉合ドレッシングにおいて、前記溶ける本体が複数の溶けるビーズを具えることを特徴とする創傷閉合ドレッシング。
【請求項３２】
創傷閉合ドレッシングを製造する方法において：
第１面と組織に対向する面を有するシーリングドレープを形成するステップと；
収縮エレメントを前記シーリングドレープに連結するステップであって、当該収縮エレメントが伸長位置から収縮位置へ収縮して、これによって作動時に閉合力を生成するように構成されているステップと；
把持部材を前記シーリングドレープに連結するステップであって、当該把持部材が前記閉合力を患者の上皮に伝えるように構成されているステップと；
を具えることを特徴とする方法。
【請求項３３】
請求項３２に記載の方法が更に、マニフォールド部材を前記シーリングドレープの組織に対向する面に連結するステップを具えることを特徴とする方法。
【請求項３４】
請求項３２に記載の方法が更に、前記本体の少なくとも一部が溶けたときに前記収縮エレメントが作動するように前記収縮エレメントに溶ける本体を連結するステップを具えることを特徴とする方法。
【請求項３５】
請求項３２に記載の方法が更に、前記シーリングドレープに前記複数の収縮エレメントを連結するステップを具えることを特徴とする方法。
【請求項３６】
請求項３２に記載の方法が更に、減圧サブシステムを前記シーリングドレープに流体連結するステップを具えることを特徴とする方法。
【請求項３７】
請求項３２に記載の方法において、前記収縮エレメントを前記シーリングドレープに連結するステップが、複数の溶けるビーズを有する収縮エレメントを連結するステップを具えることを特徴とする方法。